(57)【特許請求の範囲】
【請求項１】
太陽歯車と、該太陽歯車に噛み合う遊星歯車と、該遊星歯車に噛み合う内歯歯車と、前記遊星歯車を保持する部材とを有し、３つの回転要素である前記太陽歯車の回転、前記遊星歯車を保持する部材の回転、及び前記内歯歯車の回転に、入力、出力、及び固定のいずれかを択一的に割り当てられて駆動伝達機能を得る遊星歯車機構を備えたクラッチ機構において、
入力を割り当てられた部材である入力側伝達部材に入力された回転駆動力を、固定を割り当てられた部材である固定側伝達部材が回転しないように支持された固定状態で、前記遊星歯車機構の駆動伝達機能を獲得して出力を割り当てられた部材である出力側伝達部材を介して出力し、
前記固定側伝達部材が回転可能に支持される固定解除状態で、前記遊星歯車機構の駆動伝達機能を失う機構であり、
前記固定側伝達部材と一体に設けられ、複数の被規制部突起を有した被回転規制部と、
該被回転規制部の被規制部突起と噛み合う噛み合い状態で前記固定側伝達部材を固定状態にし、
前記被回転規制部の被規制部突起と噛み合わない非噛み合い状態で前記固定側伝達部材を固定解除状態にする回転規制突起を複数有した回転規制部材と、
該回転規制部材の噛み合い状態と、非噛み合い状態とを切換える動作を与えるアクチュエータを有した切替え部と、
を備え、
前記被回転規制部の複数の被規制部突起の両側面は、該被回転規制部がいずれの方向に回転しても前記回転規制部材の回転規制突起と噛み合う際に、前記回転規制部材の回転規制突起の側面に面接触して噛み合うように形成されており、
前記被回転規制部の回転中心から前記被規制部突起の側面の先端を結んだ直線に平行な線と、該被規制部突起の側面とがなす角度をθ１とし、
前記回転規制突起の側面と水平線とがなす角度をθ２としたとき、
θ１＝θ２の関係を満たすことを特徴とするクラッチ機構。
【請求項２】
請求項１に記載のクラッチ機構において、
前記切替え部は、前記アクチュエータの動作に抗する弾性体を有していることを特徴とするクラッチ機構。
【請求項３】
請求項１又は２に記載のクラッチ機構において、
前記被回転規制部の回転方向により、前記被回転規制部の被規制部突起と噛み合う前記回転規制部材の回転規制突起が異なることを特徴とするクラッチ機構。
【請求項４】
請求項１乃至３のいずれか一に記載のクラッチ機構において、
前記切替え部では、前記回転規制部材に動作を与える前記アクチュエータにはソレノイドを、前記アクチュエータの動作に抗する前記弾性体にはバネを用いるとともに、前記バネを前記ソレノイドに備えるプランジャの外周に配置するか、回転規制部材に直接取り付けていることを特徴とするクラッチ機構。
【請求項５】
像担持体と、現像剤担持体と、前記像担持体と前記現像剤担持体を駆動する駆動源と、前記駆動源から前記像担持体及び前記現像剤担持体まで駆動力を伝達する駆動伝達機構を備えた画像形成装置において、
前記駆動伝達機構内に請求項１乃至４のいずれか一に記載のクラッチ機構を備えたことを特徴とする画像形成装置。
【発明の詳細な説明】
【技術分野】
【０００１】
本発明は、プリンタ、ファックス、複写機等の画像形成装置に用いるクラッチ機構、及びこれを備えた画像形成装置に関するものである。
【背景技術】
【０００２】
従来から、プリンタ、ファックス、複写機等の画像形成装置においては、コストダウン、小型化、及び省エネルギー化が要求されてきた。コストダウンと小型化のため、装置に用いる駆動源であるモータ等の個数を減らして、体積を小さくすることや、小スペースでモータ等の駆動源からの減速を行うため、遊星歯車減速機構が様々な装置で採用されている。また、省エネルギー化の要求により、より効率的な駆動伝達機構を提供するため、様々な遊星歯車機構を用いたクラッチ機構（以下、遊星歯車クラッチ機構という）の提案がなされている。
【０００３】
具体的には、複数の駆動伝達先の駆動ユニットのいずれかを、遊星歯車クラッチ機構により、駆動と停止とに切替えることで、複数の駆動ユニットでの駆動源の共有化を可能とする。このように駆動源を共有化することで、遊星歯車クラッチ機構を備えていない構成よりも、駆動源の数を減らす。そして、遊星歯車クラッチ機構により、各駆動伝達先の駆動ユニットは、最低限必要な時間のみ駆動させるように構成する。このように構成することで、遊星歯車クラッチ機構を備えておらず、単に共有可能な駆動源のみ共有して駆動源の数を減らす従来の構成よりも、回転駆動時の駆動源の負荷を減らすことができる。したがって、従来の遊星歯車クラッチ機構を備えていない構成よりも、回転駆動時の駆動源の負荷を減らすことで、電力消費を低減し、用いる装置の省エネルギー化を図るというものである。
【０００４】
例えば、特許文献１には、装置の小型化を達成するための遊星歯車減速機構と正逆転切替動作を行うための遊星歯車クラッチ機構（遊星クラッチ機構）とを併用させたものとして、次のような構成が記載されている。入力側の内歯歯車と、内歯歯車に噛み合う遊星歯車と、遊星歯車に噛み合う太陽歯車と、遊星歯車を保持する部材とを有している。また、３つの回転要素である、内歯歯車の回転に入力を割り当て、遊星歯車を保持する部材の回転に出力を割り当て、太陽歯車の回転に固定を割り当てている。すなわち、内歯歯車は回転に入力を割り当てられた入力側伝達部材、太陽歯車は回転に固定を割り当てられた固定側伝達部材、及び遊星歯車を保持する部材は回転に出力を割り当てられた出力側伝達部材でもある。そして、太陽歯車を回転しない状態にすることで、内歯歯車に入力された回転駆動力を、遊星歯車を保持する部材を介して出力する遊星歯車クラッチ機構を２つ備えている。
【０００５】
各遊星歯車クラッチ機構の内歯歯車には同軸の外歯歯車が接続され、遊星歯車を支持する部材の外周には同軸の外歯歯車が一体に形成されている。そして、駆動歯車（駆動入力ギア）に噛み合う駆動力伝達方向上流側（以下、上流側という）及び駆動力伝達方向下流側（以下、下流側という）の遊星歯車クラッチ機構の内歯歯車に接続された各外歯歯車は、アイドラ歯車を介して接続されている。また、上流側の遊星歯車クラッチ機構の遊星歯車を保持する部材の外周に形成された外歯歯車と、下流側の遊星歯車クラッチ機構の遊星歯車を保持する部材の外周に形成された外歯歯車とは直接噛み合っている。この下流側の遊星歯車を保持する部材に形成された外歯歯車が、さらに下流側の駆動ユニットに回転駆動力を伝達する駆動出力歯車に噛み合っている。
【０００６】
また、各遊星歯車クラッチ機構の太陽歯車には、被回転規制部（拘束部）が一体に設けられており、その回転を規制することで太陽歯車を回転しない状態になる。具体的には、被回転規制部の突起にアクチュエータとして用いるソレノイドにより回動する回転規制部材の突起（拘束手段）が噛み合うことで、太陽歯車が回転しない固定状態に規制される。そして、遊星歯車クラッチ機構が遊星歯車機構の駆動伝達機能を獲得して、遊星歯車を保持する部材に形成された外歯歯車が回転し、下流側の駆動ユニットに回転駆動力を伝達する駆動伝達状態となる。また、被回転規制部の突起とソレノイドにより回動する回転規制部材の突起との噛み合いが解除された非噛み合い状態で、太陽歯車が回転自在な固定解除状態になる。そして、遊星歯車クラッチ機構が遊星歯車機構の駆動伝達機能を失い、遊星歯車を保持する部材に形成された外歯歯車が回転せず、下流側の駆動ユニットに回転駆動力を伝達しない遮断状態となる。ここで、特許文献１の構成では、ソレノイドに通電しない状態で駆動伝達状態となり、ソレノイドに通電した状態で遮断状態となるように構成されている。
【０００７】
そして、駆動出力歯車を、一方向に回転駆動される駆動歯車と同方向（正方向）に回転させる場合には、上流側の遊星歯車クラッチ機構を遮断状態とし、下流側の遊星歯車クラッチ機構を駆動伝達状態とする。すなわち、上流側の遊星歯車クラッチ機構のソレノイドに通電した状態とし、下流側の遊星歯車クラッチ機構のソレノイドに通電しない状態とする。一方、駆動出力歯車を逆方向に回転させる場合には、上流側の遊星歯車クラッチ機構を駆動伝達状態とし、下流側の遊星歯車クラッチ機構を遮断状態とする。すなわち、上流側の遊星歯車クラッチ機構のソレノイドに通電しない状態とし、下流側の遊星歯車クラッチ機構のソレノイドに通電した状態とする。また、上流側及び下流側、両方の遊星歯車クラッチ機構のソレノイドを通電状態とすることで、各遊星歯車クラッチ機構の太陽歯車は回転自在な状態となり、駆動歯車の回転駆動力は、駆動出力歯車に伝達されない状態となる。このように各遊星歯車クラッチ機構のソレノイドの通電状態を制御することで、一方向に回転駆動される駆動歯車の回転駆動力を、正逆回転方向のいずれかに駆動力伝達する状態と、駆動力伝達しない状態とを選択できるというものである。
【０００８】
ここで、各遊星歯車クラッチ機構の回転規制部材の突起は、板状部材の先端部をＬ字状に折り曲げ加工したＬ字状の突起（以下、Ｌ字状突起という）であり、その両側面は互いに平行である。このＬ字状突起の一方の側面は、被回転規制部の突起の一方の側面に噛み合った際に、被回転規制部の回転中心を通過する直線に略平行になるように形成されている。そして、被回転規制部の突起の一方の側面は、被回転規制部が駆動歯車と同方向に回転するのを規制する回転規制部材のＬ字状突起の側面に噛み合う際に、Ｌ字状突起の両側面に対し略平行に形成されている。また、他方の側面は、被回転規制部が反対方向に回転してＬ字状突起が接触した際に受け流すように、Ｌ字状突起の側面に対し傾斜を持って形成されている。
【発明の概要】
【発明が解決しようとする課題】
【０００９】
しかしながら、特許文献１に記載された駆動力伝達機構では、各遊星歯車クラッチ機構の被回転規制部の突起に、回転規制部材のＬ字状突起の側面に対して平行な側面と、傾斜を持った側面とを有している。平行な側面はＬ字状突起の側面と面で噛み合うことができるので、噛み合う際の衝撃が生じてもスライドして解除され難い。しかし、傾斜を持った側面は、傾斜しているとともにＬ字状突起の側面の端部と点で接触することになり、噛み合う際の衝撃が生じると容易に固定解除状態となる。
【００１０】
このように特許文献１に記載された各遊星歯車クラッチ機構は、その機構上、回転規制部材による被回転規制部の回転規制が駆動源の片方向回転に対してのみ対応している。したがって、画像形成装置内で遊星歯車クラッチ機構の動力伝達方向下流に設けられた駆動ユニットを、双方向回転が可能な駆動源の回転方向に応じて双方向回転させる必要があるものには使用できない。つまり、１つの遊星歯車クラッチ機構では動力伝達方向下流に設けられたユニットの双方向回転に対応できない。このため使用用途が限られ、用いる装置の電力消費を低減するために組み込める範囲が限られ、遊星歯車クラッチ機構を用いて駆動源を共有化して減らせる駆動源の数も限られてしまう。
【００１１】
本発明は以上の問題点に鑑みなされたものであり、その目的は、下流側に設けられた駆動ユニットの双方向回転に対応可能な、遊星歯車機構を用いたクラッチ機構を提供することである。
【課題を解決するための手段】
【００１２】
上記目的を達成するために、請求項１の発明は、太陽歯車と、該太陽歯車に噛み合う遊星歯車と、該遊星歯車に噛み合う内歯歯車と、前記遊星歯車を保持する部材とを有し、３つの回転要素である前記太陽歯車の回転、前記遊星歯車を保持する部材の回転、及び前記内歯歯車の回転に、入力、出力、及び固定のいずれかを択一的に割り当てられて駆動伝達機能を得る遊星歯車機構を備えたクラッチ機構において、入力を割り当てられた部材である入力側伝達部材に入力された回転駆動力を、固定を割り当てられた部材である固定側伝達部材が回転しないように支持された固定状態で、前記遊星歯車機構の駆動伝達機能を獲得して出力を割り当てられた部材である出力側伝達部材を介して出力し、前記固定側伝達部材が回転可能に支持される固定解除状態で、前記遊星歯車機構の駆動伝達機能を失う機構であり、前記固定側伝達部材と一体に設けられ、複数の被規制部突起を有した被回転規制部と、該被回転規制部の被規制部突起と噛み合う噛み合い状態で前記固定側伝達部材を固定状態にし、前記被回転規制部の被規制部突起と噛み合わない非噛み合い状態で前記固定側伝達部材を固定解除状態にする回転規制突起を複数有した回転規制部材と、該回転規制部材の噛み合い状態と、非噛み合い状態とを切換える動作を与えるアクチュエータを有した切替え部と、を備え、前記被回転規制部の複数の被規制部突起の両側面は、該被回転規制部がいずれの方向に回転しても前記回転規制部材の回転規制突起と噛み合う際に、前記回転規制部材の回転規制突起の側面に面接触して噛み合うように形成されており、前記被回転規制部の回転中心から前記被規制部突起の側面の先端を結んだ直線に平行な線と、該被規制部突起の側面とがなす角度をθ１とし、前記回転規制突起の側面と水平線とがなす角度をθ２としたとき、θ１＝θ２の関係を満たすことを特徴とするものである。
【発明の効果】
【００１３】
本発明は、下流側に設けられた駆動ユニットの双方向回転に対応可能な、遊星歯車機構を用いたクラッチ機構を提供できる。
【図面の簡単な説明】
【００１４】
【図１】一実施形態に係る画像形成装置であるプリンタの全体概要説明図。
【図２】ブラックに対応した作像ユニットの正回転時における、感光体及び現像ローラの駆動歯車列の説明図。
【図３】ブラックに対応した作像ユニットの逆回転時における、感光体及び現像ローラの駆動歯車列の説明図。
【図４】遊星歯車クラッチ機構の斜視説明図。
【図５】遊星歯車クラッチ機構の動作原理の説明図。
【図６】遊星歯車クラッチ機構の太陽歯車の固定状態と固定解除状態との切替方法についての説明図。
【図７】ラチェットと規制レバーの突起が双方向で噛み合う際の説明図。
【図８】ラチェットと規制レバーの噛み合いの説明図。
【図９】ラチェットと規制レバーの噛み合いの拡大説明図。
【図１０】遊星歯車クラッチ機構の回転方向の説明図。
【発明を実施するための形態】
【００１５】
以下、本発明を画像形成装置に適用した一実施形態の例として、中間転写方式のタンデム型のカラープリンタ（以下、プリンタ２００という）に適用した例について、図を用いて説明する。図１は、一実施形態に係る画像形成装置であるプリンタ２００の全体概要説明図である。図２は、ブラックに対応した作像ユニット１０Ｋの正回転時における、感光体１Ｋ及び現像ローラ４Ｋの駆動歯車列７０の説明図であり、（ａ）が遊星歯車クラッチ機構１００が駆動伝達状態時の説明図、（ｂ）が遮断状態時の説明図である。図３は、ブラックに対応した作像ユニット１０Ｋの逆回転時における、感光体１Ｋ及び現像ローラ４Ｋの駆動歯車列７０の説明図であり、（ａ）が遊星歯車クラッチ機構１００が駆動伝達状態時の説明図、（ｂ）が遮断状態時の説明図である。ここで、図２（ａ）,（ｂ）及び図３（ａ）,（ｂ）では、図中、遊星歯車クラッチ機構１００については、太陽歯車１１１に一体に設けたラチェット部１１２から内歯歯車１０１側を視た断面を示している。そして、図中、手前側に配置される出力歯車１１６、駆動ローラ２２、感光体１Ｋ、及び現像ローラ４Ｋの外形も破線で示している。
【００１６】
また、図４は、遊星歯車クラッチ機構１００の斜視説明図、図５は、遊星歯車クラッチ機構１００の動作原理の説明図、図６は、遊星歯車クラッチ機構１００の太陽歯車１１１の固定状態と固定解除状態との切替方法についての説明図。図７は、ラチェットと規制レバーの突起が双方向で噛み合う際の説明図であり、（ａ）が正回転時の突起の噛み合い説明図、（ｂ）が逆回転時の突起の噛み合い説明図である。図８は、ラチェットと規制レバーの噛み合いの説明図、図９は、ラチェットと規制レバーの噛み合いの拡大説明図である。図１０は、遊星歯車クラッチ機構の回転方向の説明図であり、（ａ）正回転時の説明図、（ｂ）が逆回転時の説明図である。ここで、上記各図の歯車部については、歯形は省略し、基準ピッチ円を記載するに留めている。また、以下の説明では、特に記載しない限り、各歯車及び中間転写ベルト２４等の回転体の回転方向については、画像形成時の回転方向への回転方向を正回転方向、画像形成時とは逆方向への回転を逆回転方向という。また、このように相対的な回転方向でなく、絶対的な回転方向を示す必要が有る場合には、図３の斜視図で示す回転方向を除き、各図中時計回り又は反時計回りを、単に時計回り又は反時計回りという。
【００１７】
まず、本実施形態のプリンタ２００の全体構成及び動作について説明する。図１に示すように、このプリンタ２００には、ブラック（Ｋ）、マゼンタ（Ｍ）、シアン（Ｃ）、イエロー（Ｙ）の４色のトナーに、それぞれ対応した作像ユニット１０Ｋ、１０Ｍ、１０Ｃ、１０Ｙを設けている。各作像ユニット１０は、２次転写ローラ２５の対応ローラでもある駆動ローラ２２、従動ローラ２３、及び複数の架張ローラに架け渡された中間転写ベルト２４に、下方から接触するように配置されている。また、中間転写ベルト２４の無端移動方向上流側（従動ローラ２３側）から、作像ユニット１０Ｙ、１０Ｃ、１０Ｍ、１０Ｋの順で配置されている。各作像ユニット１０には、各色に対応した像担持体であるドラム状の感光体１Ｋ、１Ｍ、１Ｃ、１Ｙをそれぞれ設けている。そして、各感光体１の回りには、それぞれ帯電装置２、現像装置３、感光体クリーニング装置７等が設けられている。そして、パソコン等から画像情報が送信されてくると、各感光体１を回転駆動させるとともに、各帯電装置２で、それぞれ各感光体１上を一様帯電する。その後、各感光体１の下方に配置された、光書き込み装置３０が、パソコン等から送信された画像情報に基づいて、各感光体１表面上にレーザー光を照射して静電潜像を形成する。この静電潜像を、それぞれに設けられた現像装置３でトナー付着させてトナー画像として顕像化する。
【００１８】
各感光体１表面上にそれぞれ形成された各色のトナー画像は、各感光体１の図１図中、反時計回りの回転にともない、時計回りに無端移動する中間転写ベルト２４を介した対向位置に設けられた１次転写ローラ２１の位置まで搬送される。そして、１次転写ローラ２１に印加される１次転写バイアスにより、各感光体１表面上から中間転写ベルト２４上に、順次、重ね合わせられるよう１次転写され、中間転写ベルト２４上にカラーのトナー画像が形成される。中間転写ベルト２４上に１次転写されたカラーのトナー画像は、中間転写ベルト２４の無端移動により、２次転写ローラ２５が中間転写ベルト２４を介して駆動ローラ２２に対向配置された２次転写位置まで搬送される。また、転写紙Ｐが、カラーのトナー画像が２次転写位置に搬送されるタイミングに合わせて、光書き込み装置３０の下方に設けられた給紙装置４０から図１中、実線で示す搬送経路４１に沿って給紙される。そして、レジストローラ対４２により２次転写位置に搬送された転写紙Ｐ上に、カラーのトナー画像が２次転写ローラ２５に印加される２次転写バイアスにより一括転写される。
【００１９】
カラーのトナー画像が一括転写された転写紙Ｐは、搬送経路４１に沿って２次転写位置の転写紙搬送方向下流側に設けられた、定着装置１１まで搬送されて転写紙Ｐ上にカラーのトナー画像が定着される。そして、定着後の転写紙Ｐは、排紙口４３から排紙されて、排紙トレイ４４上にスタックされる。また、１次転写位置で各感光体１上から中間転写ベルト２４上に１次転写し切れなかった転写残トナーは、各感光体１における１次転写位置の感光体回転方向下流側に設けられた感光体クリーニング装置７によりクリーニングされる。そして、２次転写位置で中間転写ベルト２４上から転写紙Ｐ上に２次転写しきれなかった転写残トナーも、中間転写ベルトクリーニング装置２６によりクリーニングされ、再度の画像形成に備える。
【００２０】
ここで、各作像ユニット１０の感光体１、及び現像装置３に有した現像ローラ４や現像剤攪拌搬送スクリュ５,６を回転駆動する際に、個々に駆動源である駆動モータを設けても良い。しかし、本実施形態のプリンタ２００では、コストや消費するエネルギーなどを考慮して、１つの駆動モータから複数の作像ユニット１０に回転駆動力を伝達するように構成している。具体的には、カラーの画像形成時に稼動させる作像ユニット１０Ｙ、１０Ｃ、１０Ｍで１つの駆動モータを共用し、利用頻度が高いブラックに対応した作像ユニット１０Ｋで１つの駆動モータを利用している。そして各作像ユニット１０内では、感光体１、及び現像装置３に有した現像ローラ４や現像剤攪拌搬送スクリュ５,６は駆動歯車列により、それぞれ回転駆動力を伝達するように構成している。なお、ブラックに対応した作像ユニット１０Ｋ用に設けた駆動モータでは、中間転写ベルト２４を回転駆動する駆動ローラ２２へも回転駆動力を伝達できるように駆動歯車列を構成している。このように、回転駆動系を構成することで、プリンタ２００を、低コスト化、及び省エネルギー化している。
【００２１】
また、本実施形態の各作像ユニット１０ように、感光体１や現像装置３内の現像ローラ４、現像剤攪拌搬送スクリュ５,６等の回転部材を設けた構成では、感光体１よりも現像ローラ４の稼動時間にともなう劣化の方が早く進む傾向にある。このため、現像ローラ４の回転駆動は、必要最小限にとどめることが望ましい。また、各作像ユニット１０で画像形成を行った後には、現像剤が現像ローラ４と同時に駆動させている現像剤攪拌搬送スクリュ５,６の現像剤の上面から露出している部分に複数の小さな現像剤塊が点在して残ってしまう場合がある。このような現像剤塊は、現像剤の上面から露出していない現像剤よりも凝縮しやすく、この現像剤塊を放置したまま画像形成を繰り返すと、当初、小さかった現像剤塊が凝縮と成長を繰り返すことになる。その結果、白スジ（画像のあるべき箇所に、白い線を描いたような）等の現象が発生し、画像品質が劣化してしまう。このような白スジ等の現像の発生を抑制するには、画像形成後に現像装置３内の現像剤攪拌搬送スクリュ５,６を画像形成時とは逆方向に少し回転させて、現像剤の上面から露出した部分の現像剤塊を落とすことが有効である。これは現像剤塊の凝縮と成長とを抑制することができるためである。
【００２２】
そこで、本実施形態のプリンタ２００では、各作像ユニット１０において、感光体１と、現像装置３内の現像ローラ４及び現像剤攪拌搬送スクリュ５,６との駆動歯車列を分岐した。そして、現像装置３内の現像ローラ４及び現像剤攪拌搬送スクリュ５,６に回転駆動力を伝達する駆動歯車列に、双方向回転駆動に対応したクラッチ機構として遊星歯車クラッチ機構１００を設けた。このように構成することで、現像ローラ４の回転駆動を最小限の回転駆動にとどめるとともに、現像装置３内の現像剤攪拌搬送スクリュ５,６への現像剤塊の付着と現像剤凝縮を抑制するための双方向回転も行える駆動制御を可能にした。次に、本実施形態のプリンタ２００に備える各作像ユニット１０の駆動歯車列、及び遊星歯車クラッチ機構１００の構成について説明する。ここで、各作像ユニット１０に設ける遊星歯車クラッチ機構１００の構成は同様であるので、以下の説明では作像ユニット１０Ｋについて説明するとともに、特に必要がない限り各色に対応した符合Ｋ、Ｍ、Ｃ、Ｙは適宜省略して説明する。
【００２３】
また、遊星歯車クラッチ機構１００は、遊星歯車機構の３つの回転要素である、内歯歯車１０１の回転に入力を割り当て、遊星歯車１０５を保持するキャリア１０４の回転に出力を割り当て、太陽歯車１１１の回転に固定を割り当てた例について説明する。すなわち、入力を割り当てられた部材である入力側伝達部材を内歯歯車１０１、固定を割り当てられた部材である固定側伝達部材を太陽歯車１１１、出力を割り当てられた部材である出力側伝達部材をキャリア１０４とした例について説明する。しかし、本発明はこのような構成に限定されるものではなく、例えば、内歯歯車１０１の回転に入力を割り当て、太陽歯車１１１の回転に出力を割り当て、遊星歯車１０５を保持するキャリア１０４の回転に固定を割り当てた構成でも良い。すなわち、入力を割り当てられた部材である入力側伝達部材を内歯歯車１０１、固定を割り当てられた部材である固定側伝達部材を遊星歯車１０５を保持するキャリア１０４、出力を割り当てられた部材である出力側伝達部材を太陽歯車１１１としても良い。
【００２４】
まず、作像ユニット１０Ｋの駆動歯車列７０について、図２、図３を用いて説明する。駆動歯車列７０は、駆動モータ（不図示）の出力軸に直接形成された駆動歯車７１の図中左側の感光体１を回転駆動する感光体駆動歯車列８０と、図中右側の現像ローラ４を回転駆動する現像ローラ駆動歯車列９０とに分岐されている。そして、感光体駆動歯車列８０には、中間転写ベルト２４を回転駆動させる駆動ローラ２２に接続された駆動ローラ歯車８４に、回転駆動力を伝達する複数のアイドラ歯車により構成されたアイドラ歯車列８３も備えている。また、現像ローラ駆動歯車列９０内には、遊星歯車クラッチ機構１００を設けている。そして、現像ローラ４を回転駆動させる現像ローラ駆動歯車９４の駆動力伝達方向下流には、現像剤攪拌搬送スクリュ５,６（不図示）をそれぞれ回転駆動させるスクリュ歯車（不図示）を設けている。
【００２５】
ここで、他の色に対応する作像ユニット１０Ｙ、１０Ｃ、１０Ｍでは、感光体駆動歯車列８０にアイドラ歯車列８３及び駆動ローラ歯車８４を備えていない点が異なる。また、感光体駆動歯車列８０と現像ローラ駆動歯車列９０とに駆動力を伝達する駆動歯車が、作像ユニット１０Ｙ、１０Ｃ、１０Ｍのモータ駆動歯車列（不図示）に接続された各作像ユニット用の駆動歯車（不図示）である点が異なる。しかし、上記相違点を除く、作像ユニット１０Ｙ、１０Ｃ、１０Ｍの各感光体１に回転駆動力を伝達する感光体駆動歯車列８０、及び現像ローラ駆動歯車列９０の構成は同様である。
【００２６】
作像ユニット１０Ｋの感光体駆動歯車列８０は、駆動歯車７１に図中左側から噛み合う第１感光体歯車８１、第１感光体歯車８１に図中左斜め下方から噛み合う感光体駆動歯車８２を備えている。そして、第１感光体歯車８１に図中左斜め上方から噛み合うアイドラ歯車列８３も備えている。また、現像ローラ駆動歯車列９０は、駆動歯車７１に図中右側から噛み合う第１現像ローラ歯車９１、及び第１現像ローラ歯車９１に噛み合う入力歯車部を有した遊星歯車クラッチ機構１００を備えている。そして、遊星歯車クラッチ機構１００に有した出力歯車１１６と噛み合う第２現像ローラ歯車９２、第２現像ローラ歯車９２と噛み合う第３現像ローラ歯車９３も備えている。さらに、第３現像ローラ歯車９３と噛み合い現像ローラ４を回転駆動する現像ローラ駆動歯車９４も備えている。ここで、遊星歯車クラッチ機構１００の入力歯車である内歯歯車１０１の外周に形成された外歯歯車部１０３と外歯の出力歯車１１６は、駆動伝達状態の場合には、いずれの方向に回転駆動されても同方向に回転するように構成されている。
【００２７】
図２（ａ）に示すように、遊星歯車クラッチ機構１００を駆動伝達状態で、画像形成時の回転方向である正回転方向に感光体１及び現像ローラ４を回転させる場合には、駆動歯車７１は反時計回りに回転する。駆動歯車７１が反時計回りに回転すると、感光体駆動歯車列８０では、第１感光体歯車８１及びアイドラ歯車列８３を介して、駆動ローラ２２を回転駆動させる駆動ローラ歯車８４が正回転方向である時計回りに回転する。そして、第１感光体歯車８１を介して感光体駆動歯車８２も正回転方向である反時計回りに回転する。また、現像ローラ駆動歯車列９０では、第１現像ローラ歯車９１が時計回りに回転し、遊星歯車クラッチ機構１００の入力歯車である内歯歯車１０１は反時計回りに回転する。そして、遊星歯車クラッチ機構１００の出力歯車１１６が正回転方向である反時計回りに回転する。この出力歯車１１６の反時計回りの回転が、第２現像ローラ歯車９２及び第３現像ローラ歯車９３を介して伝達され、現像ローラ駆動歯車９４が正回転方向の時計回りに回転する。
【００２８】
また、図２（ｂ）に示すように、遊星歯車クラッチ機構１００が遮断状態の場合には、遊星歯車クラッチ機構１００の出力歯車１１６に内歯歯車１０１の反時計回りの回転駆動力は伝達されない。したがって、出力歯車１１６はいずれの方向にも回転しない。すなわち、遊星歯車クラッチ機構１００が遮断状態の場合に駆動モータが正回転方向に回転駆動されると、中間転写ベルト２４及び感光体１は、それぞれ正回転方向に回転駆動される。しかし、現像装置３内の現像ローラ４及び現像剤攪拌搬送スクリュ５,６はいずれの方向にも回転しない。
【００２９】
また、図３（ａ）に示すように、遊星歯車クラッチ機構１００を駆動伝達状態で、画像形成時の回転方向とは逆方向である逆回転方向に感光体１及び現像ローラ４を回転させる場合には、駆動歯車７１は時計回りに回転する。駆動歯車７１が時計回りに回転すると、感光体駆動歯車列８０では、第１感光体歯車８１及びアイドラ歯車列８３を介して、駆動ローラ２２を回転駆動させる駆動ローラ歯車８４が反時計回りに回転する。そして、第１感光体歯車８１を介して感光体駆動歯車８２も逆回転方向である時計回りに回転する。また、現像ローラ駆動歯車列９０では、第１現像ローラ歯車９１が反時計回りに回転し、遊星歯車クラッチ機構１００の入力歯車である内歯歯車１０１は時計回りに回転する。そして、遊星歯車クラッチ機構１００の出力歯車１１６が逆回転方向である時計回りに回転する。この出力歯車１１６の時計回りの回転が、第２現像ローラ歯車９２及び第３現像ローラ歯車９３を介して伝達され、現像ローラ駆動歯車９４が逆回転方向の反時計回りに回転する。
【００３０】
また、図３（ｂ）に示すように、遊星歯車クラッチ機構１００が遮断状態の場合には、遊星歯車クラッチ機構１００の出力歯車１１６に内歯歯車１０１の時計回りの回転駆動力は伝達されない。したがって、出力歯車１１６は、いずれの方向にも回転しない。すなわち、遊星歯車クラッチ機構１００が遮断状態の場合に駆動モータが逆回転方向に回転駆動されると、中間転写ベルト２４及び感光体１は、それぞれ逆回転方向に回転駆動される。しかし、現像装置３内の現像ローラ４及び現像剤攪拌搬送スクリュ５,６はいずれの方向にも回転しない。
【００３１】
次に、本発明の特徴である双方向回転に１つの遊星歯車クラッチ機構で対応できる遊星歯車クラッチ機構１００について詳細に説明する。図４に示すように、本実施形態のプリンタ２００に用いる遊星歯車クラッチ機構１００は、遊星歯車機構、出力歯車１１６、及び被回転規制部であるラジェット部を有した遊星歯車部１１０を備えている。また、回転規制部材である規制レバー１２１を有した回転規制部１２０と、規制レバー１２１の噛み合い状態と非噛み合い状態とを切換える動作を与えるアクチュエータ１３１及び弾性体１４０を有した切替え部１３０も備えている。
【００３２】
遊星歯車クラッチ機構１００の遊星歯車部１１０は、入力歯車である内歯歯車１０１と、３つの遊星歯車１０５と、各遊星歯車１０５を回転自在、かつ公転自在に保持する部材であるキャリア１０４とを備えている。そして、各遊星歯車１０５に噛み合う太陽歯車１１１も備えている。また、各遊星歯車１０５を保持しているキャリア１０４とはキャリア１０４と、キャリア１０４の回転を下流側の駆動ユニットに伝達する出力歯車１１６とが、一体で動作するように接続する出力軸１０９も備えている。また、太陽歯車１１１には、被回転規制部であるラチェット部１１２が一体にで動作するよう設けられている。そして、内歯歯車１０１、キャリア１０４、太陽歯車１１１、ラチェット部１１２、出力軸１０９、及び出力歯車１１６は同軸上に配置されている。
【００３３】
ここで、遊星歯車部１１０では、次のような回転運動を行う。第１現像ローラ歯車９１（図４には不図示）を介して内歯歯車１０１の外周に形成された外歯歯車部１０３に回転駆動力が伝達されている間は、内歯歯車１０１の内歯歯車部１０２に噛み合っている各遊星歯車１０５は常に回転運動を行う。しかし、各遊星歯車１０５を保持しているキャリア１０４は一定の条件の場合のみ回転運動を行う。遊星歯車クラッチ機構１００は、一定の条件下での遊星歯車部１１０の下流側駆動ユニットへの回転駆動力を伝達する遊星歯車機構の駆動伝達機能と、他の条件下での下流側駆動ユニットへの駆動伝達を遮断する遮断機能とを備えている。このため、出力歯車１１６も一定の条件の場合のみ回転運動を行うこととなる。次に、この遊星歯車クラッチ機構１００の遊星歯車機構の駆動伝達機能と遮断機能について説明する。
【００３４】
まず、遊星歯車部１１０の駆動伝達方法について説明する。図５に示すように、この遊星歯車部１１０の駆動伝達部は、主に３種類の歯車、つまり、内歯歯車１０１の内歯歯車部１０２、遊星歯車１０５、及び太陽歯車１１１を備えている。また、内歯歯車１０１の回転軸と同軸で回転可能な要素としては、内歯歯車１０１、遊星歯車１０５を自転可能、かつ公転可能に保持したキャリア１０４、及び太陽歯車１１１を備えている。そして、遊星歯車部１１０は、３つの回転可能な要素に、それぞれ回転可能な入力、出力、及び回転が規制される固定に割り振ることで、初めてその駆動伝達機能が有効となる。そこで、本実施形態の遊星歯車部１１０では、内歯歯車１０１に入力、キャリア１０４に出力、太陽歯車１１１に固定に割り振ることで、遊星歯車機構の駆動伝達機能を有効にすることとしている。そして、固定に割り振った太陽歯車１１１を、回転が規制された固定状態に切換えることで、遊星歯車部１１０を下流側の駆動ユニットに回転駆動力を伝達できる駆動伝達状態にする。また、回転自在な固定解除状態に切換えることで、遊星歯車機構の駆動伝達機能を失う状態、すなわち、キャリア１０４の回転が停止し、下流側の駆動ユニットに回転駆動力を伝達しない遮断状態にする。
【００３５】
なお、内歯歯車１０１の外周には、外歯歯車部１０３が同軸で形成され、第１現像ローラ歯車９１に噛み合って回転駆動力が内歯歯車１０１に伝達される。また、キャリア１０４には出力歯車１１６から離れた側の基準側板１０６と、基準側板１０６に支持され遊星歯車１０５を回転自在に保持するピン１０８と、ピン１０８の他端側を支持する端部側板１０７（図５には不図示）を有している。そして、基準側板１０６には、出力歯車１１６に回転駆動力を伝達する出力軸１０９が接続されている。この出力軸１０９の出力歯車１１６に嵌め合わせる部分の断面は、出力歯車１１６に確実に回転駆動力を伝達できるように、回り止め加工が施されている。また、端部側板１０７には、太陽歯車１１１を回転自在な状態で向かい入れるための孔が設けられている。そして、太陽歯車１１１及び太陽歯車１１１と同軸で一体に設けられたラチェット部１１２（図５には不図示）には、出力軸１０９を回転自在な状態で通す孔が形成されている。次に、太陽歯車１１１を、回転が規制された固定状態と回転自在な固定解除状態とに切換える具体的な構成について説明する。
【００３６】
図６に示すように、太陽歯車１１１と同軸で一体に設けられた被回転規制部であるラチェット部１１２には、規制レバー１２１に設けられた突起と噛み合う突起である複数の被規制部突起１１３を全周に渡り等間隔に備えている。また、ラチェット部１１２、つまり太陽歯車１１１の回転を規制する回転規制部１２０は、被規制部突起１１３に噛み合う２つの突起を設けた規制レバー１２１と規制レバー１２１を回動可能に支持する支持軸１２３から構成されている。そして、規制レバー１２１は、支持軸１２３から突起を設けた先端側のレバー出力部１２２と、支持軸１２３から突起とは反対側のレバー入力部１２４を有している。また、回転規制部１２０のレバー出力部１２２に設けた突起をラチェット部１１２の被規制部突起１１３に噛み合う固定状態と、離間した固定解除状態とに切換える切替え部１３０にはアクチュエータ１３１及び弾性体１３５を備えている。
【００３７】
アクチュエータ１３１には電源のオン・オフにより図６図中略水平に移動する円柱状の部材であるプランジャ１３２を設けている。プランジャ１３２の先端には規制レバー１２１のレバー入力部１２４に設けた長孔（不図示）に通る係合ピン１３３が設けられており、その略水平方向の移動により、規制レバー１２１を支持軸１２３を回動中心として回動させる。また、規制レバー１２１のレバー入力部１２４の支持軸１２３から離れた側の先端には、弾性体１３５を直接支持するための切り欠き部１２５が形成されている。この端部切り欠き部１２５に、一端部を支持された弾性体１３５の他端側は、弾性体保持部材１３７に形成された切り欠き部１２５に支持されている。そして、レバー入力部１２４の切り欠き部１２５を図６図中右方向（矢印Ａ方向）に、引っ張るように構成されている。
【００３８】
このように切替え部１３０を構成することで、アクチュエータ１３１の電源がオフされた状態では、弾性体１３５の作用によりプランジャ１３２は図６図中右方向に移動する。この移動にともない、規制レバー１２１は支持軸１２３を中心に回動し、図中反時計方向（矢印Ｃ方向）に回動する。そして、レバー出力部１２２の先端に設けられた突起のいずれかの側面が、ラチェット部１１２の被規制部突起１１３のいずれかの側面に面接触して固定状態となる。また、アクチュエータ１３１の電源がオンされると、プランジャ１３２は図６図中左方向（矢印Ｂ方向）に移動する。この移動にともない、規制レバー１２１は支持軸１２３を中心に回動し、図中時計方向（矢印Ｄ方向）に回動し、レバー出力部１２２の先端に設けられた突起は、ラチェット部１１２の被規制部突起１１３から離間して固定解除状態となる。
【００３９】
ここで、図２（ａ）に示したように、現像ローラ４を正回転方向である時計回りに回転させる場合には、図７（ａ）に示すように、太陽歯車１１１、つまりラチェット部１１２の反時計回りの回転を規制して固定状態にする。この規制は、ラチェット部１１２の被規制部突起１１３における、時計回り回転方向上流側の上流側面１１４と、規制レバー１２１のレバー出力部１２２先端側の正回転規制突起１２６の正回転規制側面１２８との噛み合わせで行われる。また、図３（ａ）に示したように、現像ローラ４を逆回転方向である反時計回りに回転させる場合には、図７（ｂ）に示すように、太陽歯車１１１、つまりラチェット部１１２の時計回りの回転を規制して固定状態にする。この規制は、ラチェット部１１２の被規制部突起１１３における、時計回り回転方向下流側の下流側面１１５と、規制レバー１２１のレバー出力部１２２先端から離れた側の逆回転規制突起１２７の逆回転規制側面１２９との噛み合わせで行われる。
【００４０】
ここで、下流側の駆動ユニットである、遊星歯車クラッチ機構１００の下流側の現像ローラ駆動歯車列９０を双方向回転に対応させるためには、次の側面形状を最適化する必要がある。ラチェット部１１２の被規制部突起１１３の側面形状と、規制レバー１２１のレバー出力部１２２に設けた各回転規制突起の対応するそれぞれの側面形状である。これは、次の理由による。被規制部突起１１３の各側面と、噛み合う規制レバー１２１の各突起の側面が、太陽歯車１１１と一体に設けられたラチェット部１１２を点接触で完全停止させる場合には、非常に大きい力（摩擦力）を与え続けることが必要なためである。
【００４１】
本実施形態では弾性体によって、規制レバー１２１の対応する突起の側面を、ラチェット部１１２の被規制部突起１１３のいずれかの側面に嵌め合わせて、ラチェット部１１２の回転規制（停止）を行っている。しかし、低コスト化のため、低出力のアクチュエータ１３１を用いることとしている。さらに、この低出力のアクチュエータ１３１の引き込む力で、弾性体１３５を引き伸ばして規制レバー１２１を動作させなければならない。弾性体１３５の弾性係数が大きければ、低出力のアクチュエータ１３１では引き込むことができないため、弾性体１３５の弾性係数は小さいものとせざるを得ない。このため、弾性体１３５では点接触にて円板物体を停止させ続ける一定の力を与えることは困難である。このため、ラチェット部１１２を停止させるには、ラチェット部１１２の被規制部突起１１３と規制レバー１２１の対応する各突起とを、それぞれの側面で面接触するように噛み合わせ、ラチェット部１１２を回転規制しなければならない。
【００４２】
具体的な形状としては、次のように各側面を構成する。図８に示すように、まず、固定状態時に、ラチェット部１１２の回転中心から図中水平な方向に延ばした直線を引く。次に、この直線と、規制レバー１２１の回動中心からラチェット部１１２の突起の側面と規制レバー１２１の突起の側面とが噛み合う部分の中心を結ぶ線とがθ３＝９０［ｄｅｇ］で噛み合う場合、図９（ａ）、（ｂ）に示すように規定する。図９（ａ）に示すように、ラチェット部１１２では、被規制部突起１１３の上流側面１１４及び下流側面１１５を、次ぎのように規定する。ラチェット部１１２の回転中心から各側面の歯先の先端を結んだ線Ｌ１,Ｌ２と平行な線Ｌ１'，Ｌ２'を、各側面の直線部分の歯底側の端部から引き、この線Ｌ１'，Ｌ２'と各側面とがなす角度をθ１とする。また、図９（ｂ）に示すように、規制レバー１２１では、正回転規制突起１２６の正回転規制側面１２８及び逆回転規制突起１２７の逆回転規制側面１２９を、次ぎのように規定する。水平線を０［ｄｅｇ］としたとき、水平線と各側面の直線部分とがなす角度をθ２とする。
【００４３】
上記のように規定し、θ１＝θ２となるように構成する。このようにラチェット部１１２及び規制レバー１２１の各側面を構成することで、図７に示すように、双方向回転時に、ラチェット部１１２及び規制レバー１２１の各突起の側面が点接触ではなく、面接触して互いに噛み合うようにできる。すなわち、ラチェット部１１２の各突起の側面は、ラチェット部１１２がいずれの方向に回転しても規制レバー１２１の各突起の側面と噛み合う際に、規制レバー１２１の各突起に面接触して噛み合うことができる。また、噛み合う各側面に等しい角度：θ１＝θ２を付けることによって、規制レバー１２１がラチェット部１１２に噛み込んだ瞬間から、よりスムースにラチェット部１１２の中心に向かい、面接触するようにしている。よって、遊星歯車クラッチ機構１００が下流側の駆動ユニットの双方向回転に対応可能となる。
【００４４】
また、図７に示すように、ラチェット部１１２の突起と噛み合う突起を、規制レバー１２１に複数以上（２箇所以上）持ち、ラチェット部１１２の回転方向によって、噛み合う側面（接触箇所）を異なる。このように異なることで、従来の噛み合う側面を異ならせない構成に比べ、ラチェット部１１２との衝突に対しての耐磨耗性及び耐久性を向上させた。すなわち、規制レバー１２１の噛み合う際の接触箇所を、ラチェット部１１２の回転方向により、正回転規制突起１２６か逆回転規制突起１２７に異ならせ、高耐久性を実現できる遊星歯車クラッチ機構１００を提供できる。
【００４５】
このように遊星歯車クラッチ機構１００を下流側の駆動ユニットの双方向回転に対応可能とすることで、図３（ａ）に示す正回転時には、遊星歯車クラッチ機構１００の遊星歯車部１１０及び出力歯車１１６は次のように回転する。図１０（ａ）に示すように、内歯歯車１０１は図中左奥から手前側へ向かう方向（矢印Ｅ方向）に回転し、遊星歯車１０５の公転によりキャリア１０４も同じ方向に回転する。そして、キャリア１０４に出力軸１０９で接続された出力歯車１１６も同方向に回転する。また、図４（ａ）に示す逆回転時には、遊星歯車クラッチ機構１００の遊星歯車部１１０及び出力歯車１１６は次のように回転する。図１０（ｂ）に示すように、内歯歯車１０１は図中右奥から手前側へ向かう方向（矢印Ｆ方向）に回転し、遊星歯車１０５の公転によりキャリア１０４も同じ方向に回転する。そして、キャリア１０４に出力軸１０９で接続された出力歯車１１６も同方向に回転することとなる。
【００４６】
また、本実施形態では、アクチュエータ１３１としてソレノイドを用い、弾性体１３５としてバネを用いている。弾性体１３５としてのバネは、上述したように規制レバー１２１のレバー入力部１２４に設けた切り欠き部１２５に直接かけるか、アクチュエータ１３１としてのソレノイドに備えるプランジャ１３２の外周に配置ことが可能である。そして、太陽歯車１１１の固定状態と固定解除状態の実動作時間を考慮し、実動作時間が短い方の状態でアクチュエータ１３１としてのソレノイドに通電し、実動作時間が長い方の状態を弾性体１３５としてのバネで行うように構成する。このように構成することで、アクチュエータ１３１としてのソレノイドの使用時間を短くし、遊星歯車クラッチ機構１００自体の省エネルギー化を実現できる。また、弾性体１３５としてのバネの配置に自由度を持たせることで、汎用性を高めることができる遊星歯車クラッチ機構１００を提供できる。
【００４７】
このように、本実施形態のプリンタ２００では、現像ローラ駆動歯車列９０に、双方向回転駆動に対応した遊星歯車クラッチ機構１００を設けた。したがって、現像装置３内の現像ローラ４及び現像剤攪拌搬送スクリュ５,６のは双方向の回転と停止の動作を自由に行うことができる。そして、切替動作を行うためのアクチュエータ１３１は、太陽歯車１１１の固定状態と固定解除状態との動作時間の短い方の動作を行うため、消費電力を低減し、省エネルギー化を実現することができる。
【００４８】
また、上述したようにラチェット部１１２の複数の被規制部突起１１３の両側面は、ラチェット部１１２がいずれの方向に回転しても規制レバー１２１のいずれかの突起と噛み合う際に、規制レバー１２１いずれかの突起の側面に面接触できる。このように面接触できるので、特許文献１に記載の構成のように被回転規制部が逆方向にした場合に、回転規制部材のＬ字状突起の側面の端部と、被回転規制部の突起の傾斜した側面とが点接触して、噛み合う際の衝撃で容易に固定解除状態になることはない。したがって、遊星歯車クラッチ機構１００の下流側に設けられた駆動ユニットを双方向回転させるために、内歯歯車１０１に入力される回転駆動力が、いすれも方向の回転であったとしても、固定状態、及び固定解除状態のいずれにも切替えることができる。
よって、この遊星歯車クラッチ機構１００の下流側に設けられた駆動ユニットの双方向回転に対応できる。
【００４９】
また、規制レバー１２１及びラチェット部１１２の突起の各側面は、噛み合った際に、次ぎのようになるように形成することができる。ラチェット部１１２の各側面の先端部とラチェット部１１２の回転中心とを通る直線よりも、規制レバー１２１の噛み合った側面が、ラチェット部１１２の突起の歯底側にスライドするように傾斜を持たせて形成することもできる。したがって、内歯歯車１０１に入力された回転駆動力の回転方向がいずれの方向でも、ラチェット部１１２の回転規制を確実に行い太陽歯車１１１を固定状態にできる。
【００５０】
また、一組のアクチュエータ１３１及び弾性体１３５で規制レバー１２１の噛み合い状態と非噛み合い状態とを切換える動作を与えている。このように動作を与えているので、内歯歯車１０１に入力された回転駆動力の回転方向がいずれの方向でも、ラチェット部１１２の非噛み合い状態、つまり、太陽歯車を固定解除状態にも確実に切換えることができる。したがって、遊星歯車クラッチ機構１００の下流側に設けられた駆動ユニットの双方向回転に対応できる。このように双方向回転に対応でき、特許文献１に記載の遊星歯車クラッチ機構のように使用用途が狭い範囲に限定されず、用いる装置の電力消費を低減するために組み込める範囲が広い。
【００５１】
さらに、アクチュエータ１３１及び弾性体１３５を用いて規制レバー１２１の噛み合い状態と非噛み合い状態とを切換えている。このような構成で切換えているので、太陽歯車１１１の固定状態及び固定解除状態での実動作時間を考慮して、実動作時間が短い方の状態に切換える場合に、アクチュエータ１３１に通電するように構成することができる。そして、実動作時間が長い方の状態に切換えるのに弾性体１３５の弾性力を用いるように構成することができる。このように切換えを行うことで、この遊星歯車クラッチ機構１００の動作に要する電力自体も削減することができる。よって、下流側に設けられた駆動ユニットの双方向回転に対応し、用いる装置の省エネルギー化を効率的に行える遊星歯車機構を用いたクラッチ機構を提供できる。
【００５２】
なお、本実施形態では、現像装置３内の現像ローラ４及び現像剤攪拌搬送スクリュ５,６を回転駆動させる現像ローラ駆動歯車列９０に、遊星歯車クラッチ機構１００を用いた例について説明した。しかし、本発明はこのような構成に限定されるものではなく、下流側に設けた駆動ユニットの双方向回転に対応させる必要がある駆動伝達系に広く用いることができる。
【００５３】
以上に説明したものは一例であり、本発明は、次の態様毎に特有の効果を奏する。
（態様Ａ）
太陽歯車１１１などの太陽歯車と、該太陽歯車に噛み合う遊星歯車１０５などの遊星歯車と、該遊星歯車に噛み合う内歯歯車１０１などの内歯歯車と、キャリア１０４などの前記遊星歯車を保持する部材とを有し、３つの回転要素である前記太陽歯車の回転、前記遊星歯車を保持する部材の回転、及び前記内歯歯車の回転に、入力、出力、及び固定のいずれかを択一的に割り当てられて駆動伝達機能を得る遊星歯車部１１０などの遊星歯車機構を備えた遊星歯車クラッチ機構１００などのクラッチ機構において、入力を割り当てられた部材である内歯歯車１０１などの入力側伝達部材に入力された回転駆動力を、固定を割り当てられた部材である太陽歯車１１１などの固定側伝達部材が回転しないように支持された固定状態で、前記遊星歯車機構の駆動伝達機能を獲得して出力を割り当てられた部材であるキャリア１０４などの出力側伝達部材を介して出力し、前記固定側伝達部材が回転可能に支持される固定解除状態で、前記遊星歯車機構の駆動伝達機能を失う機構であり、前記固定側伝達部材と一体に設けられ、複数の被規制部突起１１３などの突起を有したラチェット部１１２などの被回転規制部と、該被回転規制部の突起と噛み合う噛み合い状態で前記固定側伝達部材を固定状態にし、前記被回転規制部の突起と噛み合わない非噛み合い状態で前記固定側伝達部材を固定解除状態にする正回転規制突起１２６や逆回転規制突起１２７などの突起を複数有した規制レバー１２１などの回転規制部材と、該回転規制部材の噛み合い状態と、非噛み合い状態とを切換える動作を与えるアクチュエータ１３１などのアクチュエータを有した切替え部１３０などの切替え部と、を備え、前記被回転規制部の複数の突起の上流側面１１４や下流側面１１５などの両側面は、該被回転規制部がいずれの方向に回転しても前記回転規制部材の突起と噛み合う際に、前記回転規制部材の突起の正回転規制側面１２８や逆回転規制側面１２９などの側面に面接触して噛み合うように形成されていることを特徴とするものである。
これによれば、上記実施形態について説明したように、下流側に設けられた駆動ユニットの双方向回転に対応可能な、遊星歯車部１１０などの遊星歯車機構を用いた遊星歯車クラッチ機構１００などのクラッチ機構を提供できる。
（態様Ｂ）
（態様Ａ）において、切替え部１３０などの前記切替え部は、アクチュエータ１３１などの前記アクチュエータの動作に抗する弾性体１３５などの弾性体を有していることを特徴とするものである。
これによれば、上記実施形態について説明したように、遊星歯車クラッチ機構１００などのクラッチ機構の動作に要する電力自体も削減することができる。
（態様Ｃ）
（態様Ａ）又は（態様Ｂ）において、ラチェット部１１２などの前記被回転規制部の回転方向により、前記被回転規制部の被規制部突起１１３などの突起と噛み合う規制レバー１２１などの前記回転規制部材の正回転規制突起１２６や逆回転規制突起１２７などの突起が異なることを特徴とするものである。
これによれば、上記実施形態について説明したように、高耐久性を実現できる遊星歯車部１１０などの遊星歯車機構を用いた遊星歯車クラッチ機構１００などのクラッチ機構を提供できる。
（態様Ｄ）
（態様Ａ）乃至（態様Ｃ）のいずれかにおいて、切替え部１３０などの前記切替え部では、ラチェット部１１２などの前記回転規制部材に動作を与えるアクチュエータ１３１などの前記アクチュエータにはソレノイドを、前記アクチュエータの動作に抗する弾性体１３５などの前記弾性体にはバネを用いるとともに、前記バネを前記ソレノイドに備えるプランジャ１３２などのプランジャの外周に配置するか、回転規制部材に直接取り付けていることを特徴とするものである。
これによれば、上記実施形態について説明したように、弾性体１３５などの前記弾性体であるバネの配置に自由度を持たせることで、汎用性を高めることができる遊星歯車部１１０などの遊星歯車機構を用いた遊星歯車クラッチ機構１００などのクラッチ機構を提供できる。
（態様Ｅ）
感光体１などの像担持体と、現像ローラ４などの現像剤担持体と、前記像担持体と前記現像剤担持体を駆動する駆動モータなどの駆動源と、前記駆動源から前記像担持体及び前記現像剤担持体まで駆動力を伝達する駆動歯車列７０などの駆動伝達機構を備えたプリンタ２００などの画像形成装置において、前記駆動伝達機構内に（態様Ａ）乃至（態様Ｄ）のいずれかの遊星歯車クラッチ機構１００などのクラッチ機構を備えたことを特徴とするものである。
これによれば、上記実施形態について説明したように、駆動歯車列７０などの前記駆動伝達機構内に（態様Ａ）乃至（態様Ｄ）のいずれかの遊星歯車クラッチ機構１００などのクラッチ機構を備えることで、（態様Ａ）乃至（態様Ｄ）のいずれかのクラッチ機構の効果を奏することができるプリンタ２００などの画像形成装置を提供できる。
【符号の説明】
【００５４】
１    感光体
２    帯電装置
３    現像装置
４    現像ローラ
５、６    現像剤攪拌搬送スクリュ
７    感光体クリーニング装置
１０    作像ユニット
１１    定着装置
２１    １次転写ローラ２１
２２    駆動ローラ
２３    従動ローラ
２４    中間転写ベルト
２５    ２次転写ローラ
２６    中間転写ベルトクリーニング装置
３０    光書き込み装置
４０    給紙装置
４１    搬送経路
４２    レジストローラ対
４３    排紙口
４４    排紙トレイ
７０    駆動歯車列
７１    駆動歯車
８０    感光体駆動歯車列
８１    感光体歯車
８２    感光体駆動歯車
８３    アイドラ歯車列
８４    駆動ローラ歯車
９０    現像ローラ駆動歯車列
９１    第１現像ローラ歯車
９２    第２現像ローラ歯車
９３    第３現像ローラ歯車
９４    現像ローラ駆動歯車
１００    遊星歯車クラッチ機構
１０１    内歯歯車
１０２    内歯歯車部
１０３    外歯歯車部
１０４    キャリア
１０５    遊星歯車
１０６    基準側板
１０７    端部側板
１０８    ピン
１０９    出力軸
１１０    遊星歯車部
１１１    太陽歯車
１１２    ラチェット部
１１３    被規制部突起
１１４    上流側面
１１５    下流側面
１１６    出力歯車
１２０    回転規制部
１２１    規制レバー
１２２    レバー出力部
１２３    支持軸
１２４    レバー入力部
１２５    切り欠き部
１２６    正回転規制突起
１２７    逆回転規制突起
１２８    正回転規制側面
１２９    逆回転規制側面
１３０    切替え部
１３１    アクチュエータ
１３２    プランジャ
１３３    係合ピン
１３５    弾性体
１３７    弾性体保持部材
１４０    弾性体
２００    プリンタ
Ｐ    転写紙
【先行技術文献】
【特許文献】
【００５５】
【特許文献１】特開２００９―０７３６４８号公報
【図１】
0005924583.tif 000002
【図２】
0005924583.tif 000003
【図３】
0005924583.tif 000004
【図４】
0005924583.tif 000005
【図５】
0005924583.tif 000006
【図６】
0005924583.tif 000007
【図７】
0005924583.tif 000008
【図８】
0005924583.tif 000009
【図９】
0005924583.tif 000010
【図１０】
0005924583.tif 000011